(57)【要約】【課題】測定された重量から減じるべき風袋量が、被測定物ごとに大きく異なる風袋量と、被測定物によって大きく異なることのない風袋量とからなる場合においても、できるだけ簡便に、且つ、正確に、被測定物の重量を測定し得る重量計を提供する。【解決手段】本発明の重量計は、重量測定部と、風袋量設定部と、重量測定部で測定された重量から風袋量設定部で設定された風袋量を減じることによって被測定物の重量を決定する重量決定部とを有する重量計であって、前記風袋量設定部は、予め風袋量を記憶しておくための風袋量記憶部と、重量測定に際して使用者が風袋量を入力するための風袋量入力部と、風袋量記憶部に記憶された風袋量に風袋量入力部で入力された風袋量を加えることによって前記測定された重量から減じるべき風袋量を決定する風袋量決定部とを備えてなる。【選択図】図４
2007132817.tif 000002
【特許請求の範囲】
【請求項１】
重量測定部と、風袋量設定部と、重量測定部で測定された重量から風袋量設定部で設定された風袋量を減じることによって被測定物の重量を決定する重量決定部とを有する重量計であって、
前記風袋量設定部は、予め風袋量を記憶しておくための風袋量記憶部と、重量測定に際して使用者が風袋量を入力するための風袋量入力部と、風袋量記憶部に記憶された風袋量に風袋量入力部で入力された風袋量を加えることによって前記測定された重量から減じるべき風袋量を決定する風袋量決定部とを備えてなることを特徴とする重量計。
【請求項２】
請求項１に記載の重量計であって、
前記重量測定部が使用者の体重と使用者が使用している車椅子の重量とを同時に測定可能に構成されていると共に、前記風袋量記憶部には車椅子の重量に相当する風袋量が記憶されていることを特徴とする重量計。
【請求項３】
請求項１又は２に記載の重量計であって、
前記風袋量設定部は、前記風袋量記憶部が複数の風袋量を記憶してなると共に、重量測定に際して使用者がこれら複数の風袋量の１つを選択するための風袋量選択部を更に備えてなることを特徴とする重量計。
【発明の詳細な説明】
【技術分野】
【０００１】
本発明は、被測定物の重量を測定するための重量計に関し、より詳しくは、重量測定部と、風袋量設定部と、重量測定部で測定された重量から風袋量設定部で設定された風袋量を減じることによって被測定物の重量を決定する重量決定部とを有する重量計に関する。
【背景技術】
【０００２】
重量測定部と、風袋量設定部と、重量測定部で測定された重量から風袋量設定部で設定された風袋量を減じることによって被測定物の重量を決定する重量決定部とを有する重量計、即ち、所謂「風袋引き」の機能を備えた重量計は、例えば電子体重計をはじめとして広く知られている。特に、車椅子を使用する者が車椅子に乗ったままで使用できる体重計（以下「車椅子体重計」と称する。）では、例えば特許文献１及び２において言及されているように、風袋引きの機能は半ば当然のように採用されている。
【０００３】
【特許文献１】特開平９−１１３３４４号公報（段落００３３）
【特許文献２】特開平１０−２３９１４０号公報（段落００３４）
【発明の開示】
【発明が解決しようとする課題】
【０００４】
風袋引き機能を備えた重量計としては、予め風袋量を記憶しておくための風袋量記憶部を備え、重量測定部で測定された重量からこの風袋量記憶部に記憶されている風袋量を減じて得られた値を、被測定物の重量として決定するものがある。メモリ風袋機能やプリセット風袋機能と呼ばれる斯かる風袋引き機能を車椅子体重計に適用した場合、使用者の体重を正確に測定するためには、その使用者の車椅子と着衣の重量だけを予め測定して風袋量記憶部に記憶させておく必要がある。もちろん、着衣量が変わった場合には、その度に、車椅子と着衣の重量を併せて記憶させ直さなければならない。
【０００５】
上述の問題は、例えば車椅子を使用する患者が多くいる病院などに車椅子体重計を設置して斯かる患者の体重管理を行おうとした場合に、顕著に現れる。即ち、病院のおいて車椅子を使用している患者の場合、その着衣量は、体重測定当日の天候や気温などはもとより、患者の怪我や病気の状態によって大きく異なるのが実情である。人の着衣量は、一般的には大きくは変わらないと思われがちであり、これは極日常的な生活条件の下では必ずしも否定されるべきではないが、例えば怪我人の場合は、その怪我の状態によって包帯やギブス、コルセットといった固定具の重量が異なるため、これらを含めた純粋な体重以外の重量は、大きく異なるものである。また、患者は、固定具などを含む自身の着衣重量についてはある程度把握しており、又は想像がつくかもしれないが、病院に備え付けの車椅子の重量までは、同一の病院においては概ね同種類の車椅子が使用されているとしても、通常は知りえない。
【０００６】
従って、メモリ風袋機能を適用した車椅子体重計は、例えば病院において車椅子を使用する患者の体重管理をできるだけ正確且つ簡易に行おうとするような場合には、未だ改善すべき余地がある。
【０００７】
一方、メモリ風袋機能の他に風袋引き機能を備えた重量計としては、重量測定に際し、先ず風袋引きしたい物（例えば、食品重量計における皿など）を重量計の載台に載せ、その状態を０ｋｇとして、その後に、実際に測定したい物を載せることで、正確な重量を測定しようとするものもある。しかしながら、斯かる風袋引き機能を車椅子体重計に適用した場合には、使用者の体重測定に際し、先ず使用者の車椅子と着衣を使用者から取り上げて載台に載せ、その状態を０ｋｇとして、その後に、使用者が着衣を身に付けて車椅子に座り、車椅子ごと載台に載るという、現実にはあり得ない使い方となってしまう。
【０００８】
従って、本発明の目的は、病院などに設置される車椅子体重計の場合の如く、測定された重量から減じるべき風袋量が、被測定物ごとに大きく異なる風袋量（即ち、患者の着衣量など）と、被測定物によって大きく異なることのない風袋量（即ち、車椅子など）とからなる場合においても、できるだけ簡便に、且つ、正確に、被測定物の重量（即ち、患者の体重など）を測定し得る重量計を提供することにある。
【課題を解決するための手段】
【０００９】
本発明の重量計は、重量測定部と、風袋量設定部と、重量測定部で測定された重量から風袋量設定部で設定された風袋量を減じることによって被測定物の重量を決定する重量決定部とを有する重量計であって、前記風袋量設定部は、予め風袋量を記憶しておくための風袋量記憶部と、重量測定に際して使用者が風袋量を入力するための風袋量入力部と、風袋量記憶部に記憶された風袋量に風袋量入力部で入力された風袋量を加えることによって前記測定された重量から減じるべき風袋量を決定する風袋量決定部とを備えてなるものである。
【００１０】
ここで、本発明の重量計は、前記重量測定部が使用者の体重と使用者が使用している車椅子の重量とを同時に測定可能に構成されていると共に、前記風袋量記憶部には車椅子の重量に相当する風袋量が記憶されていることとする。
【００１１】
更に、本発明の重量計は、前記風袋量設定部は、前記風袋量記憶部が複数の風袋量を記憶してなると共に、重量測定に際して使用者がこれら複数の風袋量の１つを選択するための風袋量選択部を更に備えてなることとする。
【発明の効果】
【００１２】
本発明の重量計では、風袋量記憶部に被測定物によって大きく異なることのない風袋量を予め記憶させておくと共に、被測定物ごとに大きく異なる風袋量についてはその被測定物の重量測定に際して使用者が風袋量入力部を介して入力するという簡便な操作によって、これら２種類の風袋量に基づいて重量測定部で測定された重量から減じるべき風袋量が風袋量決定部において決定される。そして、重量決定部においては測定された重量から決定された風袋量を減じることによって被測定物の重量を決定するので、２種類の風袋量を除いた純粋な被測定物の重量が正確に測定される。
【００１３】
ここで、重量測定部が使用者の体重と使用者が使用している車椅子の重量とを同時に測定可能に構成されていると共に、風袋量記憶部には車椅子の重量に相当する風袋量が記憶されている場合には、本発明の重量計は、病院などに設置される簡便且つ正確な車椅子体重計として、患者の体重管理に寄与することができる。即ち、患者は、自身が使用している病院の車椅子の重量を知らなくても、これは風袋量記憶部に記憶されているので、ある程度把握し又は想像がつく自身の着衣量だけを風袋量入力部から入力するという簡便な操作で、車椅子と着衣の重量を除いた正確な体重を測定することができる。
【００１４】
更に、風袋量記憶部が複数の風袋量を記憶してなると共に、重量測定に際して使用者がこれら複数の風袋量の１つを選択するための風袋量選択部を更に備えてなる場合には、本発明の重量計は、被測定物によって大きく異なることのない風袋量を複数記憶させておき、使用者は被測定物の測定に際して適切な風袋量を選択することができる。特に、例えば前述の病院などに設置される車椅子体重計であれば、当該病院に備付けの車椅子が数種類ある場合でも、各種類の車椅子についてその重量を予め記憶させておくことが可能であるから、そのような場合であっても、患者は、自身の車椅子の種類だけを把握しておけば、体重測定に際してこれを選択すると共に自身の着衣量を入力するという簡便な操作で、車椅子と着衣の重量を除いた正確な体重を測定することができる。
【発明を実施するための最良の形態】
【００１５】
本発明の重量計は、重量測定部と、風袋量設定部と、重量測定部で測定された重量から風袋量設定部で設定された風袋量を減じることによって被測定物の重量を決定する重量決定部とを有する重量計であって、前記風袋量設定部は、予め風袋量を記憶しておくための風袋量記憶部と、重量測定に際して使用者が風袋量を入力するための風袋量入力部と、風袋量記憶部に記憶された風袋量に風袋量入力部で入力された風袋量を加えることによって前記測定された重量から減じるべき風袋量を決定する風袋量決定部とを備えてなるものである。
【００１６】
ここで、本発明の重量計は、前記重量測定部が使用者の体重と使用者が使用している車椅子の重量とを同時に測定可能に構成されていると共に、前記風袋量記憶部には車椅子の重量に相当する風袋量が記憶されていることとするのが望ましい。
【００１７】
更に、本発明の重量計は、前記風袋量設定部は、前記風袋量記憶部が複数の風袋量を記憶してなると共に、重量測定に際して使用者がこれら複数の風袋量の１つを選択するための風袋量選択部を更に備えてなることとするのが望ましい。
【実施例】
【００１８】
以下、本発明の好適な実施例を、図面を参照して説明する。図１は、本発明の実施例たる車椅子体重計１の外観図である。図２は、この車椅子体重計１の電気的な構成を表す図である。図３は、この車椅子体重計１の操作パネル２１０を表す図である。図４は、この車椅子体重計１で体重測定を行う際のメイン制御ルーチンを表すフローチャートである。図５は、予め風袋量を記憶させる際のサブ制御ルーチンを表すフローチャートである。図６は、風袋量測定の際のサブ制御ルーチンを表すフローチャートである。図７は、予め記憶された風袋量を選択する際のサブ制御ルーチンを表すフローチャートである。図８は、着衣量入力の際のサブ制御ルーチンを表すフローチャートである。
【００１９】
本発明の実施例たる車椅子体重計１は、図１及び図２に示すように、載台ユニット１０と、操作ユニット２０と、これら載台ユニット１０と操作ユニット２０とを電気的に接続するケーブル３０とで構成されている。
【００２０】
載台ユニット１０は、上面視で４辺形の載台１０１と、この載台１０１をその対向する２辺において狭持するフレーム１０２及び１０３とで構成されている。載台１０１は、車椅子を使用する者が車椅子ごとその上面に上るのに十分な大きさと強度に形成されており、その４辺のうちフレーム１０２及び１０３が狭持しない他の２辺には、車椅子を用いての上り下りを容易にすべく、載台上面から載台ユニット１０の設置床面に向けて傾斜する傾斜面１０１ａ及び１０１ｂが形成されている。また、フレーム１０２及び１０３には、夫々の長手方向の略両端部分に荷重センサ１０４（１０４ａ、１０４ｂ、１０４ｃ、１０４ｄ）が計４つ組込まれており、従って、載台１０１の上面に掛かる荷重が、これらの荷重センサ１０４から電気信号として出力され、ケーブル３０を介して操作ユニット２０に伝達されるものである。
【００２１】
更に、この車椅子体重計１では、その移動を容易にするため、フレーム１０２に固着されたグリップ１０５と、フレーム１０３に回動可能に組込まれた３個のローラ１０６とを備えている。即ち、グリップ１０５を握り、フレーム１０３側を支点として載台ユニット１０を引起すと、ローラ１０６が床面に接地するので、ローラ１０６を介して容易に載台ユニット１０を移動させることができるものである。
【００２２】
一方、操作ユニット２０には、風袋量の入力などに供される操作パネル２１０と、体重をはじめとする測定結果などの表示出力に供される表示パネル２２０と、測定結果などの印刷出力に供されるプリンタ２３０と、風袋量の記憶などに供されるメモリ２４０と、演算装置２５０とが組込まれている。
【００２３】
ここで、メモリ２４０には、２つの風袋量を予め記憶させておくことができるよう、第一記憶領域２４１と第二記憶領域２４２とが区画形成されている。なお、本実施例において予め記憶させておくべき２つの風袋量とは、この車椅子体重計１を保有する病院で用いられている２種類の車椅子（便宜上、これらを「Ａ型車椅子」及び「Ｂ型車椅子」と呼称する。）の重量を指すものとする。また、メモリ２４０には、この車椅子体重計１を用いた体重測定に際して現に使用された風袋量を「前回風袋量」として保存しておくための前回値保存領域２４３が区画形成されている。
【００２４】
そして、演算装置２５０は、ケーブル３０を介して荷重センサ１０４に電気的に接続されていると共に、操作ユニット２０の内部において操作パネル２１０、表示パネル２２０、プリンタ２３０及びメモリ２４０の夫々に電気的に接続されており、荷重センサ１０４及び操作パネル２１０からの電気信号並びにメモリ２４０に記憶されているパラメータに基づいて重量測定をはじめとする各種の演算処理を行い、出力すべき演算結果を表示パネル２２０及び／又はプリンタ２３０を介して出力し、記憶すべき演算結果をメモリ２４０に記憶させるものである。
【００２５】
図３には、操作パネル２１０の外観が示されている。操作パネル２１０には、この車椅子体重計１の使用者（体重の被測定者自身や、測定を行う病院のスタッフなど）の入力操作を受付けるべく、電源の投入及び遮断のための電源キー２１１と、後述する風袋量の記憶をはじめとする設定処理モードを開始するための設定キー２１２と、数値入力などを行うためのテンキー２１３と、体重測定に際して単純な風袋引きを行うための風袋キー２１４と、風袋量の記憶や選択を行うためのメモリキー２１５と、着衣量の入力を行うための着衣量キー２１６と、操作の確定などを行うための決定キーと、その他本発明の要旨には関係しない種々の操作を行うための幾つかのキーとが、各キーの役割を一覧できるような文字や記号を付されて配設されている。特に、メモリキー２１５は、２つの風袋量の記憶及び選択に供することができるよう、メモリ１キー２１５１とメモリ２キー２１５２の２つで構成されている。なお、このメモリキー２１５の表記は、本実施例においてはそれぞれ「メモリ１」「メモリ２」となっているが、例えば「Ａ型車椅子」「Ｂ型車椅子」などのように、予め記憶させておく風袋量の対象に応じてより具体的な表記としてもよい。
【００２６】
この車椅子体重計１を用いて行う体重測定について、図４から図８までのフローチャートを参照して説明する。
【００２７】
電源キー２１１の押下により、演算装置２５０が起動して図４のメイン制御ルーチンが実行される。即ち、ステップＳ１及びＳ２は初期化処理の一部を表すものであるが、ステップＳ１において、後述するステップＳ３１１で無効とされ又はステップＳ３１３で有効とされている前回風袋量自動呼出し機能の状態を確認する。ここで、前回風袋量自動呼出し機能が有効とされている場合はステップＳ２に進んでメモリ２４０の前回値保存領域２４３に保存されている前回風袋量を読込んだ後にステップＳ３に進み、無効とされている場合はステップＳ２をスキップしてステップＳ３に進む。なお、電源投入直後の初期化処理としては、他にも様々な処理が行われるものであるが、本発明と関連の薄い事項については説明を割愛する。
【００２８】
ステップＳ１及びＳ２を含む初期化処理を経て、車椅子体重計１は測定及び入力可能状態となる。即ち、演算装置２５０は、荷重センサ１０４からの入力を待つと共に、操作パネル２１０からの入力を待つこととなる。斯かる測定及び入力可能状態において、演算装置２５０は、ステップＳ３において設定キー２１２が押下されたか否かの判別を行い、ステップＳ４において風袋キー２１４が押下されたか否かの判別を行い、ステップＳ５においてメモリキー２１５が押下されたか否かの判別を行い、ステップＳ６において着衣量キー２１６が押下されたか否かの判別を行い、更にステップＳ８において荷重センサ１０４から電気信号が入力されたか否かの判別を行って、各判別結果に応じた処理を実行する。以下、各処理について順次に説明する。
【００２９】
ステップＳ３において設定キーの押下が検出された場合は、ステップＳ３００に進んで風袋量の記憶をはじめとする設定処理を実行した後にステップＳ４に進む。ステップＳ３で設定キーの押下が検出されない場合は、ステップＳ３００をスキップしてステップＳ４に進む。ステップＳ３００の設定処理については、図５のサブ制御ルーチンを参照して説明する。
【００３０】
ステップＳ３００における設定処理は、ステップＳ３０１からＳ３０９までの風袋量記憶処理と、ステップＳ３１０からＳ３１３までの前回風袋量自動呼出し機能の可否設定処理と、ステップＳ３１４のその他の設定処理とで構成されている。
【００３１】
ステップＳ３０１において、テンキー２１３のうちの「１」のキーが押下されたか否かが判別される。「１」キーが押下された場合、演算装置２５０は、メモリ２４０の第一記憶領域２４１に使用者の任意の風袋量を記憶させるべく、ステップＳ３０２に進み、テンキー２１３からの数値入力を受付ける。従って、使用者は、風袋量として予め記憶させておくべきＡ型車椅子の重量値を、テンキー２１３を用いて入力すればよい。なお、入力した数値を取消す場合は、テンキー２１３のうちの「クリア」キーを押せばよい。
【００３２】
次いで、ステップＳ３０３において、決定キー２１７が押下されたか否かが判別される。決定キー２１７が押下された場合は、ステップＳ３０２で入力された数値を確定値と認識して、ステップＳ３０４に進む。なお、ステップＳ３０２とステップＳ３０３とは、決定キー２１７が押下されるまで繰返される。
【００３３】
ステップＳ３０４では、ステップＳ３０２で入力され、ステップＳ３０３で確定された数値を、メモリ２４０の第一記憶領域２４１に記憶する。この結果、Ａ型車椅子の重量値が、予め記憶させておくべき風袋量としてメモリ２４０に記憶されたこととなる。ステップＳ３０４の後、ステップＳ３０９に進む。
【００３４】
一方、ステップＳ３０１でテンキー２１３のうちの「１」キーの押下が検出されない場合は、ステップＳ３０５に進む。ステップＳ３０５において、テンキー２１３のうちの「２」のキーが押下されたか否かが判別される。「２」キーが押下された場合、演算装置２５０は、メモリ２４０の第二記憶領域２４２に使用者の任意の風袋量を記憶させるべく、ステップＳ３０６に進み、テンキー２１３からの数値入力を受付ける。従って、使用者は、２つ目の風袋量として予め記憶させておくべきＢ型車椅子の重量値を、テンキー２１３を用いて入力すればよい。この場合も、入力した数値を取消すときは、テンキー２１３のうちの「クリア」キーを押せばよい。
【００３５】
次いで、ステップＳ３０７において、決定キー２１７が押下されたか否かが判別される。決定キー２１７が押下された場合は、ステップＳ３０６で入力された数値が確定値と認識されて、ステップＳ３０８に進む。なお、ステップＳ３０６とステップＳ３０７とは、決定キー２１７が押下されるまで繰返される。
【００３６】
ステップＳ３０８では、ステップＳ３０６で入力され、ステップＳ３０７で確定された数値を、メモリ２４０の第二記憶領域２４２に記憶する。この結果、Ｂ型車椅子の重量値が、予め記憶させておくべき２つ目の風袋量としてメモリ２４０に記憶されたこととなる。ステップＳ３０８の後、ステップＳ３０９に進む。
【００３７】
ステップＳ３０１で「１」キーの押下が検出されず、且つ、ステップＳ３０５で「２」キーの押下が検出されない場合、又はステップＳ３０４でＡ型車椅子の重量値をメモリ２４０に記憶させ、若しくはステップＳ３０８でＢ型車椅子の重量値をメモリ２４０に記憶させた後は、ステップＳ３０９において決定キー２１７が押下されたか否かが判別される。決定キー２１７の押下が検出されない場合はステップＳ３０１に戻るが、決定キー２１７の押下が検出された場合は、これらステップＳ３０１からＳ３０９までで構成される風袋量記憶処理を終了してステップＳ３１０に進む。なお、風袋量記憶処理の終了条件は、ステップＳ３０９の如き決定キー２１７の押下検出に代えて、又は斯かる検出に加えて、例えば一定時間（３秒程度）に亘って何らの入力がなされないことを条件としてもよい。
【００３８】
ステップＳ３１０において、テンキー２１３のうちの「０」のキーが押下されたか否かが判別される。「０」キーが押下された場合はステップＳ３１１に進み、この車椅子体重計１の起動時（即ち、ステップＳ１及びＳ２）においてメモリ２４０の前回値保存領域２４３に保存されている前回風袋量を自動的に呼出す機能を無効とするためのフラグメント設定処理を実行する。
【００３９】
一方、ステップＳ３１０でテンキー２１３のうちの「０」キーの押下が検出されない場合は、ステップＳ３１２に進む。このステップＳ３１２では、テンキー２１３のうちの「１」のキーが押下されたか否かが判別される。「１」キーが押下された場合はステップＳ３１３に進み、この車椅子体重計１の起動時（即ち、ステップＳ１及びＳ２）においてメモリ２４０の前回値保存領域２４３に保存されている前回風袋量を自動的に呼出す機能を有効とするためのフラグメント設定処理を実行する。
【００４０】
ステップＳ３１０で「０」キーの押下が検出されず、且つ、ステップＳ３１２で「１」キーの押下が検出されない場合は、何れかのキーの押下が検出されるまで、ステップＳ３１０とＳ３１２とを繰返す。そして、ステップＳ３１１又はＳ３１３で前回風袋量自動呼出し機能の可否設定がなされた後は、ステップＳ３１４に進んで他の様々な設定処理を実行し、全ての設定処理が終了した後、メイン制御ルーチンに戻る。なお、ステップＳ３１４における設定処理は、本発明との関連が極めて薄いので、説明は割愛する。
【００４１】
再び図４のメイン制御ルーチンを参照して、ステップＳ４において風袋キー２１４の押下が検出された場合は、ステップＳ４００に進んで風袋量の測定処理を行った後、ステップＳ７に進む。ステップＳ４００における風袋量の測定処理については、図６のフローチャートを参照して説明する。
【００４２】
ステップＳ４００における風袋量の測定処理は、体重測定に際して単純な風袋引きを行うためのものである。即ち、体重測定の対象たる患者の車椅子（患者を車椅子から降ろすことが不都合な場合は、同型の車椅子）だけを載台１０１に載せると、その重量に応じた電気信号が荷重センサ１０４から演算装置２５０に入力され、ステップＳ４０１において当該車椅子の重量が算出される。
【００４３】
ステップＳ４０２では、テンキー２１３のうちの「０」のキーが押下されたか否かが判別され、「０」キーの押下が検出されたされた場合は、ステップＳ４０３に進んでステップＳ４０１で測定した重量を取消した後、メイン制御ルーチンに戻る。即ち、この状態における「０」キーは、測定された風袋量のリセットキーとして機能する。「０」キーの押下が検出されない場合は、ステップＳ４０４に進む。
【００４４】
ステップＳ４０４では、決定キー２１７が押下されたか否かが判別される。決定キー２１７の押下が検出されない場合はステップＳ４０２とステップＳ４０４とを繰返すことになるが、決定キー２１７の押下が検出された場合は、ステップＳ４０１で測定した風袋量をメモリ２４０の一時保存領域２４４に保存した後、メイン制御ルーチンに戻る。
【００４５】
ところで、ステップＳ４００で行われる風袋量の測定処理は、単純な風袋引きを行うための処理であるから、ステップＳ３００で予め記憶させた風袋量を用いるステップＳ５からＳ６００までの処理とは両立しない。従って、ステップＳ４で風袋キー２１４の押下が検出され、ステップＳ４００の処理を実行した後は、ステップＳ５からＳ６００までの処理を実行することなく、ステップＳ７に進む。なお、ステップＳ７以降の処理については、後述する。また、ステップＳ４で風袋キー２１４の押下が検出されない場合は、ステップＳ５に進む。
【００４６】
再び図４のメイン制御ルーチンを参照して、ステップＳ５においてメモリキー２１５の押下が検出された場合は、ステップＳ５００に進んで予め記憶されている風袋量の選択処理を行った後、ステップＳ６に進む。ステップＳ５でメモリキー２１５の押下が検出されない場合は、ステップＳ５００をスキップしてステップＳ６に進む。ステップＳ５００における風袋量の選択処理については、図７のフローチャートを参照して説明する。
【００４７】
ステップＳ５００における風袋量の選択処理は、ステップＳ３００で予め記憶させた風袋量を選択的に読込むためのものである。ステップＳ５０１では、ステップＳ５において押下が検出されたメモリキー２１５が、メモリ１キー２１５１であるか否かが判別される。メモリ１キー２１５１である場合は、ステップＳ５０２に進んでメモリ２４０の第一記憶領域２４１に記憶されている風袋量たるＡ型車椅子の重量値を読込む。一方、メモリ１キー２１５１でない場合（従って、メモリ２キー２１５２である場合）は、ステップＳ５０３に進んでメモリ２４０の第二記憶領域２４２に記憶されている風袋量たるＢ型車椅子の重量値を読込む。
【００４８】
次いで、ステップＳ５０４では、テンキー２１３のうちの「０」のキーが押下されたか否かが判別され、「０」キーの押下が検出されたされた場合は、ステップＳ５０５に進んでステップＳ５０２又はＳ５０３で読込んだ風袋量を取消した後、メイン制御ルーチンに戻る。即ち、この状態における「０」キーは、選択された風袋量のリセットキーとして機能する。「０」キーの押下が検出されない場合は、ステップＳ５０６に進む。
【００４９】
ステップＳ５０６では、決定キー２１７が押下されたか否かが判別される。決定キー２１７の押下が検出されない場合はステップＳ５０４とステップＳ５０６とを繰返すことになるが、決定キー２１７の押下が検出された場合は、ステップＳ５０２又はＳ５０３で読込んだ風袋量をメモリ２４０の一時保存領域２４４に保存した後、メイン制御ルーチンに戻る。
【００５０】
再び図４のメイン制御ルーチンを参照して、ステップＳ６において着衣量キー２１６の押下が検出された場合は、ステップＳ６００に進んで着衣量の入力処理を行った後、ステップＳ７に進む。ステップＳ６で着衣量キー２１６の押下が検出されない場合は、ステップＳ６００をスキップしてステップＳ７に進む。ステップＳ６００における着衣量の入力処理については、図８のフローチャートを参照して説明する。
【００５１】
演算装置２５０は、まず、ステップＳ６０１において、テンキー２１３からの数値入力を受付ける。従って、使用者は、被測定者のギプスなどの固定具を含む着衣の重量を、テンキー２１３を用いて入力すればよい。なお、入力した数値を取消す場合は、テンキー２１３のうちの「クリア」キーを押せばよい。
【００５２】
次いで、ステップＳ６０２において、決定キー２１７が押下されたか否かが判別される。決定キー２１７が押下された場合は、ステップＳ６０１で入力された数値を確定値と認識してメイン制御ルーチンに戻る。なお、ステップＳ６０１とステップＳ６０２とは、決定キー２１７が押下されるまで繰返される。
【００５３】
再び図４のメイン制御ルーチンを参照して、ステップＳ７においては、実際に風袋引きに供する最終的な風袋量を決定する。即ち、ステップＳ４００を経由してきた場合は、ステップＳ４００で測定された風袋量をそのまま最終的な風袋量と決定し、ステップＳ５００及び／又はステップＳ６００を経由してきた場合には、ステップＳ３００で予め記憶されてステップＳ５００で選択的に読込まれた風袋量に、ステップＳ６００で入力された着衣量を加算したものを、最終的な風袋量として決定する。また、ステップＳ４００、Ｓ５００、Ｓ６００の何れも経由することなくこのステップＳ７に至った場合において、ステップＳ２を経由しているときは、ステップＳ２で読込まれた前回風袋量をそのまま最終的な風袋量として決定し、ステップＳ２を経由していないときは、風袋引き機能は使用されないこととなる。更に、このステップＳ７においては、以上の何れかの処理によって決定された風袋量で、メモリ２４０の前回値保存領域２４３に保存されている前回風袋量を更新する。
【００５４】
次いで、ステップＳ８においては、荷重センサ１０４からの電気信号が入力されたか否かを判別する。被測定者が車椅子ごと載台１０１に上るなどして荷重センサ１０４からその荷重に応じた電気信号が演算装置２５０に入力されると、ステップＳ９に進む。なお、ステップＳ３からステップＳ７までの処理は、斯かる荷重信号の入力があるまで繰返される。
【００５５】
ステップＳ９では、ステップＳ８で入力された荷重信号から被測定者が車椅子に乗った状態の重量値を算出し、更にこの重量値から、ステップＳ７で決定された風袋量を減算して、被測定者の体重として決定する。
【００５６】
その後、ステップＳ１０において、ステップＳ９で決定した体重値を、使用者、被測定者などの閲覧に供すべく、表示パネル２２０及び／又はプリンタ２３０を介して出力する。その後、ステップＳ３に戻り、次の測定に備える。また、電源キー２１１が再び押下されると、全ての処理を終了して電源を遮断する。
【００５７】
上述のとおり、本発明の実施例たる車椅子体重計１は、主に載台ユニット１０と演算装置２５０とで構成される重量測定部と、主に載台ユニット１０と操作パネル２１０とメモリ２４０と演算装置２５０とで構成される風袋量設定部と、主に演算装置２５０で構成されて重量測定部で測定された重量から風袋量設定部で設定された風袋量を減じることによって被測定物の重量を決定する重量決定部とを有する重量計であって、前記風袋量設定部は、主にメモリ２４０で構成されて予め風袋量を記憶しておくための風袋量記憶部と、主に操作パネル２１０で構成されて重量測定に際して使用者が風袋量を入力するための風袋量入力部と、主に演算装置２５０で構成されて風袋量記憶部に記憶された風袋量に風袋量入力部で入力された風袋量を加えることによって前記測定された重量から減じるべき風袋量を決定する風袋量決定部とを備えてなるものである。
【００５８】
そして、本発明の実施例たる車椅子体重計１では、主に載台ユニット１０と演算装置２５０とで構成される前記重量測定部が使用者の体重と使用者が使用している車椅子の重量とを同時に測定可能に構成されていると共に、主にメモリ２４０で構成される前記風袋量記憶部には車椅子の重量に相当する風袋量が記憶されている。
【００５９】
更に、本発明の実施例たる車椅子体重計１では、主に載台ユニット１０と操作パネル２１０とメモリ２４０と演算装置２５０とで構成される前記風袋量設定部は、主にメモリ２４０で構成される前記風袋量記憶部が複数の風袋量を記憶してなると共に、主に操作パネル２１０で構成されて重量測定に際して使用者がこれら複数の風袋量の１つを選択するための風袋量選択部を更に備えてなる。
【００６０】
その結果、本発明の実施例たる車椅子体重計１では、車椅子の患者の体重測定に際して減じるべき風袋量が、患者ごとに大きく異なる着衣量と、患者によって大きく異なることのない車椅子の重量とからなる場合においても、簡便且つ正確に患者の体重を測定し得るものである。
【００６１】
以上、本発明による重量計の実施の形態について説明してきたが、本発明は、実施例の構成に限定されることなく、特許請求の範囲に記載した構成を備える限りにおいて、実施例と共に説明した各種の変形はもちろん、その他様々な変形が可能である。例えば、風袋量を予め記憶させるための処理（ステップＳ３００）を開始するための条件として、設定キー２１２の押下に代えて、又は加えて、メモリ１キー２１５１若しくはメモリ２キー２１５２を一定時間（３秒程度）長押しすることとしてもよい。この場合、長押しされたキーに対応した記憶領域に風袋量を記憶させることとすれば、使用者は直感的な操作によって風袋量を記憶させることができる。また、予め記憶させるべき風袋量は、テンキー２１３からの入力（ステップＳ３０２、Ｓ３０６）によるばかりでなく、載台１０１を用いて実際に測定することとしてもよい。更に、本発明は、車椅子体重計のみならず、測定された重量から減じるべき風袋量が、被測定物ごとに大きく異なる風袋量と、被測定物によって大きく異なることのない風袋量とからなるような条件下で使用される重量計に、広く適用することができる。
【図面の簡単な説明】
【００６２】
【図１】本発明の実施例たる車椅子体重計１の外観図
【図２】車椅子体重計１の電気的な構成を表す図
【図３】車椅子体重計１の操作パネル２１０を表す図
【図４】車椅子体重計１で体重測定を行う際のメイン制御ルーチンを表すフローチャート
【図５】予め風袋量を記憶させる際のサブ制御ルーチンを表すフローチャート
【図６】風袋量測定の際のサブ制御ルーチンを表すフローチャート
【図７】予め記憶された風袋量を選択する際のサブ制御ルーチンを表すフローチャート
【図８】着衣量入力の際のサブ制御ルーチンを表すフローチャート
【符号の説明】
【００６３】
１  車椅子体重計
１０  載台ユニット
１０１  載台
１０１ａ、１０１ｂ  傾斜面
１０２、１０３  フレーム
１０４（１０４ａ、１０４ｂ、１０４ｃ、１０４ｄ）  荷重センサ
１０５  グリップ
１０６  ローラ
２０  操作ユニット
２１０  操作パネル
２１１  電源キー
２１２  設定キー
２１３  テンキー
２１４  風袋キー
２１５  メモリキー
２１５１  メモリ１キー
２１５２  メモリ２キー
２１６  着衣量キー
２１７  決定キー
２２０  表示パネル
２３０  プリンタ
２４０  メモリ
２４１  第一記憶領域
２４２  第二記憶領域
２４３  前回値保存領域
２５０  演算装置
３０  ケーブル
【図１】
2007132817.tif 000003
【図２】
2007132817.tif 000004
【図３】
2007132817.tif 000005
【図４】
2007132817.tif 000006
【図５】
2007132817.tif 000007
【図６】
2007132817.tif 000008
【図７】
2007132817.tif 000009
【図８】
2007132817.tif 000010